(57)【要約】【課題】実際のゴルフで体験するような、次打の地点へ移動する時の、コース・風景・次ホールを目にした時の爽快感や期待感が体感出来ると共に、プレーヤー自身がラインを読んで打つ事を必要とし、カップインする快感が得られるゴルフゲームを提供する。【解決手段】起伏と貫通口を備えた可動フィールド７と可動フィールド受け台１０の採用によって、次打を打つ前に遊技球６をフィールドに置いた状態で、遊技球６と共にフィールドをスクロールする事が可能となる。フィールドをスクロールするたびにコース、風景、次ホールが出現し、爽快感や期待感が体感出来ると共に、プレーヤー自身がラインを読んで打つ事を必要とし、カップインする快感が得られるゴルフゲームが提供できる。【選択図】  図１
2007082975.tif 000002
【特許請求の範囲】
【請求項１】
ゴルフボールに見立てたミニチュアの遊技球を、ミニチュアのゴルフクラブ等で打って進み、ゲームフィールドに設けたカップに見立てた貫通口に入れる打数を競うものであり、遊技球をゲームフィールドに置いた状態で、遊技球と共にフィールドをスクロール出来る機能を備え、ゴルフコースを歩いて進む様子が体感出来る事を特徴とするゴルフゲーム。
【請求項２】
ゴルフゲームにおいて、ゲームフィールドに起伏を施す為に複数層と介在物から構成し、面方向にスクロールと巻き取りが可能であり、実際のゴルフコースでプレーヤーが通過する順序に従った複数コースを備え、グリーン・フェアウエイ・木・池・バンカー等の図柄が起伏に応じて刺繍やペイント等により施され、カップに見立てた貫通口を各ホールに備えた事を特徴とする可動フィールド。
【請求項３】
ゴルフゲームにおいて、スクロールする可動フィールドの任意の貫通口の位置で、カップインした遊技球を貫通落下可能とし、カップイン時の爽快な音を発し、遊技球を本体外側面へ自動的に搬出する機能を備える為、すのこ状のスリット構造とリターン板が勾配を施して設置された事を特徴とする可動フィールド受け台。
【発明の詳細な説明】
【技術分野】
【０００１】本発明はゴルフゲームにおいて、ゴルフコースを歩いて進む様子を、よりリアルに体感するために、次打を打つ前に遊技球をフィールドに置いた状態で遊技球と共にフィールドをスクロール出来る機能を備える事により、コース・風景・次ホールがフィールドをスクロールするたびに出現するようにしたものである。
【背景技術】
【０００２】従来は、ゴルフコースを歩いて進む様に、次打を打つ前に遊技球をフィールドに置いた状態で遊技球と共にフィールドをスクロール出来る機能を備え、コース・風景・次ホールがフィールドをスクロールするたびに出現するゴルフゲームはなかった。
【発明の開示】
【発明が解決しようとする課題】
【０００３】ゴルフゲームは、実際のゴルフコースでプレイして楽しむ感覚を、簡単に室内で家族や友人と体験したいものである。しかし、第１打を打つ前からグリーンや次ホールの全景が見えてしまえば、実際のゴルフコースで体験するような、次打の地点へ歩いて移動し、コース・風景・次ホールをプレーヤー自身が目にした時の爽快感や期待感又は不安感が体感出来ない。又、テレビゲームでは実際のゴルフで体験するような、カップに至るグリーンやフェアウエイのラインを目で見て読み、強さと方向を決めて自分自身で遊技球に物理的力を加えることや、カップインの際に遊技球がカップの縁を回り穴の中へ消えてゆく立体感等が体感出来ない。
【課題を解決するための手段】
【０００４】ゲームフィールドに起伏を施す為に複数層と介在物から構成し、面方向にスクロールと巻き取りが可能であり、実際のゴルフコースでプレーヤーが通過する順序に従った複数コースを備え、グリーン・フェアウエイ・木・池・バンカー等の図柄８が起伏に応じて刺繍やペイント等により施され、カップに見立てた貫通口９を各ホールに備えた可動フィールド７を作成する。
可動フィールド７の取付は、本体１に取り付けた可動フィールド受け台１０、フィールドスクロール動力パイプ４、パイプころ１３を経由して面方向に巻き込み、始点と終点を接着し、ループを構成する。
フィールドスクロール動力パイプ４には、可動フィールド７の横ずれを防止する為のずれ止めリング２と、可動フィールド７に効率よく動力を伝える為に摩擦力を増加させる素材を施す。又、フィールドスクロール動力パイプ４を回し易くするようにフィールドスクロールハンドル３を取り付ける。
以上の構成で、フィールドスクロールハンドル３を回すことによって、遊技球６をフィールドに置いた状態で遊技球６と共にフィールドをスクロール出来る機能が実現出来るので、実際のゴルフで体験するような、次打の地点へ歩いて移動し、コース・風景・次ホールをプレーヤー自身が目にした時の爽快感や期待感又は不安感が体感出来る。
又、可動フィールド７はゴルフコースの図柄８により高低差を施して作成する。例えばグリーン・池・バンカーは可動フィールド第１層１５をカットして可動フィールド第２層１６のみとすることで他の部分よりも低くする。又、山・木・丘は可動フィールド第１層１５と可動フィールド第２層１６の間に介在物１７を挿入することで他の部分よりも高くする。
以上の構成で可動フィールド７において起伏が実現出来るので、実際のゴルフで体験するような、カップに至るグリーンやフェアウエイのラインを目で見て読み、強さと方向を決めて自分自身でミニチュアのゴルフクラブを用いて遊技球に物理的力を加えることが体感出来る。
又、すのこ状のスリット１８を施した構造で、リターン板１１が勾配を施して設置された可動フィールド受け台１０により、スクロールする可動フィールド７の任意の貫通口９の位置で、カップインした遊技球６を貫通落下可能とし、カップイン時の爽快な音を発し、遊技球６を本体１外側面へ自動的に搬出する機能が実現出来るので、任意の貫通口９の位置において、カップインの際に遊技球がカップの縁を回り穴の中へ消えてゆく立体感等が体感出来る。
【発明の効果】
【０００５】ゴルフコースを歩いて進む様に、次打を打つ前に遊技球６をフィールドに置いた状態で遊技球６と共にフィールドをスクロール出来る機能を備え、コース・風景・次ホールがフィールドをスクロールする毎に出現するようなゴルフゲームによって、簡単に室内で実際のゴルフで体験するような、次打の地点へ歩いて移動し、プレーヤー自身が目にした時の爽快感や期待感又は不安感が体感出来る。
又、可動フィールド７に備わった起伏と可動フィールド受け台１０のスリット１８とリターン板１１によって、実際のゴルフで体験するような、カップに至るグリーンやフェアウエイのラインを目で見て読み、強さと方向を決めて自分自身でミニチュアのゴルフクラブを用いて遊技球６に物理的力を加えること、カップインの際に遊技球がカップの縁を回ってから穴の中へ消えてゆく立体感等が体感出来る。又、リターン板１１の勾配により、遊技球６は本体１外側面へ自動的に搬出されるので非常にゲーム効率が良い。
以下、本発明の実施の形態について説明する。
（イ）本体１側面にリターンボール出口１２の貫通口を設ける。
（ロ）本体１内側面にパイプころ１３を取り付ける。パイプころ１３はパイプの２重構造で構成し、内側パイプは固定し、外側パイプは可動する構造とする。
（ハ）本体１側面から側面にかけて、フィールドスクロール動力パイプ４を貫通して取り付けする。フィールドスクロール動力パイプ４の本体１外側にはフィールドスクロールハンドル３を取り付けする。フィールドスクロール動力パイプ４の本体内側には可動フィールド７の横ずれを防止する為のずれ止めリング２と可動フィールド７との摩擦力が増加する素材を施す。
（ニ）可動フィールド受け台１０にリターン板１１を取り付けする。可動フィールド受け台１０はすのこ状のスリット１８を施した構造とし、スリット１８の幅は概ね可動フィールド７に設けた貫通口９の直径に可動フィールド７のスクロール時における横ずれ寸法を加えた値とする。
リターン板１１は可動フィールド受け台１０の下部に本体１側面のリターンボール出口１２へ向けて勾配を施してスリーブ１９で取付寸法を調整し、ビス１４で固定する。リターン板１１はリターンボール出口１２付近において遊技球６をガイドするように、曲げ加工等を施す。
（ホ）本体１内面に可動フィールド受け台１０を取り付けする。
（ヘ）本体１に可動フィールド７を取り付けする。
可動フィールド７は、本体１に取り付けた可動フィールド受け台１０、フィールドスクロール動力パイプ４、パイプころ１３を経由して面方向に巻き込み、始点と終点を接着し、ループを構成する。
（ト）本体上板、下板、ずれ止めスペーサ５を取り付けする。
【発明を実施するための最良の形態】
【０００６】本発明のゴルフゲームを発明者と玩具メーカーが協力して製品化し、百貨店、スーパー、玩具店等に並べて販売すること。
【実施例】
【０００７】野球ゲームやサッカーゲームと並べて販売する。
【産業上の利用可能性】
【図面の簡単な説明】
【０００８】
【図１】本発明の本体と第１ホールのフィールドを表した平面図である。
【図２】本発明の本体と第１ホールスクロール時のフィールドを表した平面図である。
【図３】本発明の縦方向中央部の断面図である。
【図４】本発明の横方向中央部の断面図である。
【図５】図２Ｘ−Ｙ断面による可動フィールド貫通口付近の拡大参考図である。
【符号の説明】
【０００９】１    本体
２    ずれ止めリング
３    フィールドスクロールハンドル
４    フィールドスクロール動力パイプ
５    ずれ止めスペーサ
６    遊技球
７    可動フィールド
８    図柄
９    貫通口
１０  可動フィールド受け台
１１  リターン板
１２  リターンボール出口
１３  パイプころ
１４  ビス
１５  可動フィールド第１層
１６  可動フィールド第２層
１７  介在物
１８  スリット
１９  スリーブ
【図１】
2007082975.tif 000003
【図２】
2007082975.tif 000004
【図３】
2007082975.tif 000005
【図４】
2007082975.tif 000006
【図５】
2007082975.tif 000007